(57)【要約】【課題】肌への摩擦が少なく、良好な使用感を得られる体液吸収用当て材を提供する。【解決手段】体液吸収用当て材１は、着用者の肌に接触する側の表面層をなすトップシート２と、裏面層をなすバックシート４と、トップシート２及びバックシート４の間に配置される吸収体３とを少なくとも備え、トップシート２側から液透過領域Ｆに６０ｇｆ／ｃｍ２の荷重をかけた際の圧縮変形率が０．５２以上である。【選択図】図１
2020089424.tif 000002
【特許請求の範囲】
【請求項１】
着用者の肌に接触する側の表面層をなすトップシートと、裏面層をなすバックシートと、前記トップシート及び前記バックシートの間に配置される吸収体とを少なくとも備えた体液吸収用当て材であって、
前記トップシート側から液透過領域に６０ｇｆ／ｃｍ２の荷重をかけた際の圧縮変形率が０．５２以上である、体液吸収用当て材。
【請求項２】
前記圧縮変形率が０．７０以下である、請求項１に記載の体液吸収用当て材。
【請求項３】
前記圧縮変形率が０．５６以上０．６０以下である、請求項１又は２に記載の体液吸収用当て材。
【請求項４】
前記トップシートは、天然繊維を素材として含む、請求項１〜３のいずれかに記載の体液吸収用当て材。
【発明の詳細な説明】
【技術分野】
【０００１】
本発明は、下着などに装着して、おりもの、経血、汗、尿などの体液を吸収するために使用される体液吸収用当て材に関する。
【背景技術】
【０００２】
従来から、おりもの、経血、汗、尿などの体液を吸収するため、体液吸収用当て材が使用されている。体液吸収用当て材は、液透過性のトップシートと液不透過性のバックシートとの間に吸収体を挟んだ構造であり、トップシートを使用者の肌に接触させ、トップシートを透過した体液を吸収体で吸収するものである。
【０００３】
体液吸収用当て材の使用時の快適性を高めるためには、使用者の肌に対するトップシートの摩擦を低減して、トップシートによる肌への刺激を抑制することが重要である。その手段として、例えば特許文献１には、トップシートなどの肌に接触する部位にアロエ抽出成分を塗布することで肌への当たりを滑らかにする技術が開示されている。また、特許文献２には、トップシートを立体的な形状とすることで肌との接触面積を減らす技術が開示されている。
【先行技術文献】
【特許文献】
【０００４】
【特許文献１】特開2002-153507号公報
【特許文献２】特開2017-189944号公報
【発明の概要】
【発明が解決しようとする課題】
【０００５】
しかしながら、特許文献１に記載の技術では、アロエ抽出成分によってトップシートの肌への刺激を抑制できる一方で、トップシートが本来有する透液性能や吸収性能を損なうという課題がある。また、特許文献２に記載の技術では、トップシートを立体的な形状にしても、体液吸収用当て材自体が変形しにくい素材である場合にはトップシートが肌と擦れあって肌を刺激するという課題がある。
【０００６】
本発明は上記課題を解決するためになされたものであり、肌への摩擦が少なく、良好な使用感を得られる体液吸収用当て材を提供することを目的とする。
【課題を解決するための手段】
【０００７】
本発明者は、上記課題を解決すべく鋭意研究を重ねた結果、一定の圧縮特性を有する体液吸収用当て材では、着用時に着用者の動きに追随して圧縮変形しやすいためにトップシートが肌と擦れにくく、摩擦による肌への刺激が抑えられて使用感が向上することを見出した。本発明は、このような知見に基づいて完成されたものである。即ち、本発明は下記態様の体液吸収用当て材を提供する。
【０００８】
本発明の体液吸収用当て材は、着用者の肌に接触する側の表面層をなすトップシートと、裏面層をなすバックシートと、前記トップシート及び前記バックシートの間に配置される吸収体とを少なくとも備え、前記トップシート側から液透過領域に６０ｇｆ／ｃｍ２の荷重をかけた際の圧縮変形率が０．５２以上であることを特徴とする。
【０００９】
本発明の体液吸収用当て材においては、前記圧縮変形率が０．７０以下であることが好ましく、０．５６以上０．６０以下であることがより好ましい。
【００１０】
また、本発明の体液吸収用当て材においては、前記トップシートは、天然繊維を素材として含むことが好ましく、天然繊維のみで構成されることがより好ましい。
【発明の効果】
【００１１】
本発明の体液吸収用当て材によれば、着用時において、着用者の例えば歩行や着席などの動きにより、着用者の肌に接触するトップシート側から体液吸収用当て材に対して荷重がかかった際に、着用者の体液排出部と対向する液透過領域が圧縮変形しやすい。ここで、体液吸収用当て材の液透過領域が圧縮変形しにくいと、着用者の動きに追随して液透過領域が圧縮変形せず、そのためトップシートが着用者の肌と擦れるので、摩擦により肌が刺激される。これに対して、体液吸収用当て材の液透過領域が圧縮変形しやすいと、着用者の動きに対する追随性が高まり、液透過領域が着用者の動きに追随して容易に圧縮変形することで、トップシートと着用者の肌との間の摩擦が軽減する。よって、着用時に摩擦による肌への刺激を抑えることができるので、体液吸収用当て材の使用感を向上することができる。このように、本発明の体液吸収用当て材は、着用者の肌に接触するトップシートにアロエ抽出成分などの薬剤を塗布することなく、また、トップシートを立体的な形状とすることなく、着用時に良好な使用感を得ることができる。
【図面の簡単な説明】
【００１２】
【図１】本実施形態の体液吸収用当て材の平面図である。
【図２】本実施形態の体液吸収用当て材の底面図である。
【図３】図１のＡ−Ａ断面図である。
【発明を実施するための形態】
【００１３】
以下、本発明の体液吸収用当て材の実施形態について添付図面を参照して説明する。本発明の体液吸収用当て材は着用者の下着などの衣類や直接皮膚に装着されて、おりもの、経血、汗、尿などの体液を吸収するために使用されるものであり、着用時に着用者の肌に接触する側の表面層をなすトップシートと、裏面層をなすバックシートと、トップシート及びバックシートの間に配置されて体液を吸収する吸収体とを少なくとも備えた複数層構造を有している。体液吸収用当て材としては、例えばおりものシート（パンティライナー）、生理用ナプキン、失禁用パッド、汗取りシートなどを例示することができる。
【００１４】
図１〜図３は、本発明の体液吸収用当て材の一実施形態を示す。本実施形態の体液吸収用当て材１は、おりものシートであり、着用者の肌に接触する表側からトップシート２、吸収体３及びバックシート４がこの順で積層された３層構造をなしている。バックシート４側の裏面には、体液吸収用当て材１を下着などの衣類に貼り付けるための粘着層５が形成されている。
【００１５】
体液吸収用当て材１の厚み及び大きさは、特に限定されるものではなく、着用部位に応じて厚み及び大きさを適宜設定することができる。また、体液吸収用当て材１の形状も、特に限定されるものではなく、本実施形態では平面視で略瓢箪形状を呈しているが、着用部位に応じて長方形状、正方形状、円形状、楕円形状、小判形状、多角形状など、他の種々の形状とすることができる。
【００１６】
トップシート２は、着用者の皮膚に接触して体液を透過させることで、下層の吸収体３に体液を浸透させる液透過性を有している。トップシート２は、液透過性を有していれば特に限定されるものではなく、例えば織物、編物、不織布、フェルトなどを用いることができる。その中でも、肌触りの良さ、肌への低刺激性、吸収性に優れるなどの点から不織布が好ましい。
【００１７】
また、トップシート２を構成する素材も、特に限定されるものではなく、例えば、ポリエステル繊維、ポリアミド繊維、アクリル繊維、ポリプロピレン繊維、ポリエチレン／ポリエステル複合繊維、ポリエチレン／ポリプロピレン複合繊維などの合成繊維；綿、シルク、パルプ、羊毛、麻などの天然繊維；レーヨン繊維、アセテート繊維などの半合成繊維；及び各種繊維を混ぜた繊維（混紡品、混繊品）を挙げることができる。その中でも、肌触りの良さ、肌への低刺激性などの点から天然繊維が好ましく、特に綿が好ましい。トップシート２は、単層に限らず、複数層以上の積層体で構成されていてもよい。
【００１８】
吸収体３は、体液の吸収性を有していれば特に限定されるものではなく、一般に生理用ナプキンやパンティライナー、おしめ、汗取りシートなどに用いられている、例えば吸水性パルプ、吸水性ポリマーなどの公知の吸収材や、織物、編物、不織布又はパルプ製品などから構成される繊維構造物を用いることができる。その中でも、肌触りが良く、吸収性に優れる点から、天然繊維及び合成繊維からなる集積体（例えば不織布）を用いることが好ましい。天然繊維としては、例えば綿、シルク、パルプ、羊毛、麻などを挙げることができる。このような天然繊維の中でも、アレルギーなどの接触性皮膚炎が起こりにくく、かぶれにくく、かつ吸収性に優れる点から、（タンパク質系成分でない）綿やパルプなどのセルロース系繊維が好ましい。また、合成繊維としては、例えばナイロン繊維、ポリエチレン繊維、ポリエステル繊維、ポリアミド繊維、アクリル繊維、ポリビニルアルコール繊維、ポリプロピレン繊維、ポリエチレンテレフタレート繊維、エチレン酢酸ビニル繊維、ウレタン繊維などを挙げることができる。また、レーヨン繊維、アセテート繊維、キュプラなどの半合成繊維、及び各種繊維の混紡品、混繊品を用いることもできる。その中でも、ドライ感及び風合いの点から、エチレン酢酸ビニル繊維、ポリプロピレン繊維、ポリエチレン繊維、ポリエステル繊維、ポリエチレンテレフタレート繊維などの合成繊維又はそれらの複合繊維が好ましい。複合繊維としては、ポリエチレン／ポリエステル（ポリエチレンテレフタレートを含む）複合繊維、ポリエチレン／ポリプロピレン複合繊維、エチレン酢酸ビニル／ポリプロピレン複合繊維などを挙げることができる。これらは、１種単独で使用してもよく、２種以上を組み合わせて使用してもよい。２種以上の組み合わせの例としては、セルロース系繊維と複合繊維の組み合わせなどが挙げられ、その配合割合は、例えば４：６〜８：２とすることができる。
【００１９】
バックシート４は、吸収体３に吸収された体液の外部への流出を防止する液不透過性を有している。バックシート４は、液不透過性を有していれば特に限定されるものではなく、例えばフィルム、ＳＭＳなどの液不透過性の不織布、スパンボンド不織布やポイントボンド不織布などに樹脂フィルムがラミネートされたものなどを用いることもできる。液不透過性フィルムとしては、例えば、ポリエチレン、ポリプロピレン、ポリエステル、ナイロン、ポリビニルアルコール、セロファン、塩化ビニルなどからなるフィルムもしくはこれらの多層フィルムを挙げることができる。
【００２０】
上述した不織布は、湿式抄紙法、乾式抄紙法、スパンボンド法、メルトブロー法、ラテックス樹脂ボンド法、溶剤ボンド法、スティッチボンド法、ニードルパンチ法、スパンレース法、サーマルボンド法、エアースルー法、エアレイド法などの方法により製造することができる。その中でも、スパンレース法、サーマルボンド法、エアースルー法、エアレイド法、ニードルパンチ法、スパンボンド法などの方法が好ましく、これらの方法では風合いがよくかつ、接着剤、溶剤を用いないため、肌への安全性を高くすることができる。
【００２１】
トップシート２、吸収体３及びバックシート４を貼り合わせる方法は特に限定されるものではなく、水溶性の接着剤（例えばアクリル系水溶性接着剤）や非水溶性接着剤（例えばゴム系ホットメルト、オレフィン系ホットメルト）などの接着剤により接着することができる。また、トップシート２、吸収体３及びバックシート４の外周縁を全周にわたって圧着（例えば熱圧着、超音波圧着）することで、各シート同士を圧着部６により互いに固定してもよい。なお、圧着部６は必ずしも形成する必要はない。
【００２２】
粘着層５は、粘着剤をバックシート４に塗布することなどにより設けられる。粘着層５に用いられる粘着剤は、体液吸収用当て材１を下着などに貼り付けることができるものであれば特に限定されず、例えば、水溶性の接着剤（例えばアクリル系水溶性接着剤）や非水溶性接着剤（例えばゴム系ホットメルト、オレフィン系ホットメルト）などの接着剤を挙げることができる。その中でも、その他の粘着剤に比べて下着に対する接着力に優れる点から非水溶性接着剤が好ましく、ゴム系ホットメルトがより好ましい。粘着層５は、バックシート４に対してほぼ全域を覆うように設けられていてもよいし、バックシート４に対して部分的（図２では一定間隔をあけたストライプ状）に設けられていてもよい。
【００２３】
なお、体液吸収用当て材１は、必ずしも上述した３層構造に限られず、例えばトップシート２と吸収体３との間に、透液効果、拡散効果又は表面側への体液の逆戻りを止める効果を有するシートを設けるなど、４層以上の層構造としてもよい。
【００２４】
上記構成を有する本実施形態の体液吸収用当て材１の初期厚みＴ０は、特に限定されるものではないが、初期厚みＴ０が厚すぎると、ごわつきにより使用者が違和感を覚える一方、薄すぎると、反発性が低いのでヨレ・ズレが生じやすく、着用者が長時間使用しづらくなる傾向がある。そのため、体液吸収用当て材１の初期厚みＴ０は、０．５ｍｍ以上５ｍｍ以下が好ましい。ここで、「初期厚みＴ０」とは、体液の吸収前であって何らの荷重がかかっていない状態の体液吸収用当て材１の厚みをいう。
【００２５】
上記構成を有する本実施形態の体液吸収用当て材１は、トップシート２側から液透過領域Ｆに６０ｇｆ／ｃｍ２の荷重をかけた際の圧縮変形率Ｔが０．５２以上であり、好ましくは０．７０以下であり、さらに好ましくは０．５６以上０．６０以下である。
【００２６】
ここで、液透過領域Ｆとは、着用時に着用者の体液排出部と対向する領域をいい、本実施形態においては、図１において一点鎖線で示すように、体液吸収用当て材１の略中央部とされている。なお、液透過領域Ｆの位置や大きさは、体液吸収用当て材１の着用部位や着用部位への装着の仕方などに応じて適宜調整すればよく、特に限定されるものではない。なお、体液吸収用当て材１の液透過領域Ｆを含む全域（圧着部６を除く）において、トップシート２側から６０ｇｆ／ｃｍ２の荷重をかけた際の圧縮変形率Ｔが０．５２以上、好ましくは０．７０以下、さらに好ましくは０．５６以上０．６０以下であってもよい。
【００２７】
圧縮変形率Ｔは、式（１）：Ｔ＝（Ｔ１−Ｔ２）／Ｔ１で表されるものである。なお、式（１）において、Ｔ１は、トップシート２側から０．５ｇｆ／ｃｍ２の荷重をかけた際の体液吸収用当て材１の厚み（ｍｍ）であり、Ｔ２は、トップシート２側から６０ｇｆ／ｃｍ２の荷重をかけた際の体液吸収用当て材１の厚み（ｍｍ）である。
【００２８】
圧縮変形率Ｔは、体液吸収用当て材１の圧縮荷重下における変形のしやすさを示す指標である。圧縮変形率Ｔは、値が大きい程、体液吸収用当て材１が圧縮変形しやすいことを示すが、この圧縮変形のしやすさは、着用時に着用者の動きが発生したときに着用者の動きに対する追随性が優れることと相関がある。圧縮変形率Ｔが０．５２以上、好ましくは０．５６以上であると、体液吸収用当て材１が着用者の動きに追随して容易に圧縮変形するので、液透過領域Ｆにおいてはトップシート２が着用者の肌と擦れることが抑制され、トップシート２と着用者の肌との間の摩擦が軽減する。よって、着用時に摩擦による肌への刺激を抑えることができるという効果を奏する。
【００２９】
一方で、圧縮変形率Ｔの値が大きすぎると、体液吸収用当て材１の変形度合いが大きくなることから、体液吸収用当て材１の保形性が維持されにくく、着用者にとって着け心地が頼りなくて使用感に劣るものとなる他、多量の体液を吸収する場合に横漏れが生じるおそれがある。そのため、体液吸収用当て材の着け心地を良好にしかつ横漏れを効果的に防止するためには、圧縮変形率Ｔは０．７０以下であることが好ましく、０．６０以下であることが特に好ましい。
【００３０】
圧縮変形率Ｔは、カトーテック株式会社製の圧縮試験機（ＫＥＳ−Ｇ５）を用いて測定することができる。具体的には、体液吸収用当て材１をトップシート２側が上になるように測定台にガムテープなどを用いて固定する。そして、体液吸収用当て材１の中央部の液透過領域Ｆを試験機のセンサーで圧縮し、センサーにより液透過領域Ｆを圧縮する荷重が０．５ｇｆ／ｃｍ２のときの体液吸収用当て材１の厚みＴ１（ｍｍ）を測定する。また、センサーにより液透過領域Ｆを圧縮する荷重が６０ｇｆ／ｃｍ２のときの体液吸収用当て材１の厚みＴ２（ｍｍ）を測定する。
【００３１】
本実施形態の体液吸収用当て材１によれば、着用時において、着用者の例えば歩行や着席などの動きにより、着用者の肌に接触するトップシート２側から体液吸収用当て材１に対して荷重がかかった際に、着用者の体液排出部と対向する液透過領域Ｆが圧縮変形しやすい。そのため、体液吸収用当て材１の着用者の動きに対する追随性が高まり、液透過領域Ｆが着用者の動きに追随して容易に圧縮変形することで、トップシート２と着用者の肌との間の摩擦が軽減する。よって、着用時に摩擦による肌への刺激を抑えることができるので、体液吸収用当て材１の使用感を向上することができる。このように、本実施形態の体液吸収用当て材１は、着用者の肌に接触するトップシート２にアロエ抽出成分などの薬剤を塗布することなく、また、トップシート２を立体的な形状とすることなく、着用時に良好な使用感を得ることができる。
【００３２】
以上、本発明の実施形態について説明したが、本発明は上記実施形態に限定されるものではなく、本発明の趣旨を逸脱しない限りにおいて種々の変更が可能である。例えば、上記実施形態の体液吸収用当て材１は、トップシート２側の表面（圧着部６を除く）にエンボス加工などによる凹凸部が形成されていないが、エンボス加工などによる凹凸部が形成されていてもよい。
【００３３】
また、上記実施形態の体液吸収用当て材１では、トップシート２、吸収体３及びバックシート４は、同じ大きさ及び形状であり、圧着部６は、吸収体３をトップシート２及びバックシート４の間に挟んだ状態で熱圧着加工（エンボス加工）などすることで形成されている。しかし、吸収体３をトップシート２及びバックシート４よりも一回り小さく形成し、体液吸収用当て材１の外周縁部の全域にわたってトップシート２及びバックシート４の間に吸収体４を挟まずに、トップシート２及びバックシート４だけを熱圧着加工（エンボス加工）などすることで、圧着部６を形成してもよい。
【００３４】
また、上記実施形態の体液吸収用当て材１では、圧着部６が、体液吸収用当て材１の外周縁に設けられているが、外周縁よりも内側に外周縁に沿って一周にわたり設けられていてもよい。
【実施例】
【００３５】
以下、実施例に基づき本発明をさらに詳細に説明する。なお、本発明の内容は、以下の実施例に限定されるものではない。
【００３６】
実施例及び比較例は、トップシート、吸収体及びバックシートの３層構造を有する体液吸収用当て材（おりものシート）であり、各例の体液吸収用当て材の初期厚み（ｍｍ）及び各層の素材・目付（ｇ／ｍ２）は以下の表１の通りであり、各例の体液吸収用当て材の圧縮変形率は以下の表２の通りである。なお、体液吸収用当て材の圧縮変形率の測定方法は上述した通りである。
【００３７】
【表１】
2020089424.tif 000003
【００３８】
各例の体液吸収用当て材について、３０人の被験者に着用してもらった後、歩行してもらい、着用中の使用感に対する官能評価を行った。使用感の評価は、「局部及び太腿の付け根などの局部周辺部の動きに追従して体液吸収用当て材が変形し、擦れる感覚があまりない」という観点を主な判断基準とし、その結果、使用感が良いと判断した人数が２５〜３０人以上の場合を◎、１０人以上２４人未満の場合を○、１０人未満の場合を×と評価した。その評価結果を以下の表２に示す。
【００３９】
【表２】
2020089424.tif 000004
【００４０】
表２の結果から、圧縮変形率が０．５２未満の比較例１〜３では、被験者の動き（歩行）に際して体液吸収用当て材の圧縮変形があまり感じられることがなく、体液吸収用当て材が擦れると感じられるのに対して、圧縮変形率が０．５２以上の実施例１〜４では、被験者の動き（歩行）に追随して体液吸収用当て材が容易に圧縮変形しているように感じられ、体液吸収用当て材が擦れないと感じられることが確認された。よって、本発明の体液吸収用当て材は、着用時にトップシートと着用者の肌との間の摩擦が軽減し、摩擦による肌への刺激が抑えられるので、体液吸収用当て材の快適性が向上し、使用感を良好にできることが分かる。
【００４１】
なお、圧縮変形率が０．５２以上の実施例１〜４の中でも、圧縮変形率が０．６０以下の実施例３，４が最も使用感が良いと感じられることが確認された。これは、圧縮変形率が０．７０以下の中でも特に０．６０以下の体液吸収用当て材は、被験者の動き（歩行）に際して過度に圧縮変形せず、体液吸収用当て材の保形性が維持されることから、着用者にとって着け心地が良好であるうえ、横漏れの心配も少ないと感じられたことが要因であると考えられる。よって、圧縮変形率を特に０．６０以下とすることで、体液吸収用当て材体液吸収用当て材の使用感をさらに向上できることが分かる。
【符号の説明】
【００４２】
１    体液吸収用当て材
２    トップシート
３    吸収体
４    バックシート
Ｆ    液透過領域
【図１】
2020089424.tif 000005
【図２】
2020089424.tif 000006
【図３】
2020089424.tif 000007